(57)【要約】【課題】平置き工法と架台工法の双方のメリットを可及的に合わせ持ち、且つ両工法のデメリットを可及的に解消できるソーラーパネル設置用金具を提供すること。【解決手段】屋根１に固定された支持金具２上に載置状態で取付可能な取付用基板部３の一端側に、取付用基板部３より低くなる下段板部５を設け、この下段板部５をソーラーパネル６の一側端部を載置固定するパネル固定用下段部５とし、取付用基板部３の他端側に、取付用基板部３より高くなる上段板部８を設け、この上段板部８をソーラーパネル６の他側端部を載置固定するパネル固定用上段部８とし、取付用基板部３とパネル固定用下段部５とパネル固定用上段部８とは、一枚の金属板９を折曲形成して構成する。【選択図】図２
2015028264.tif 000002
【特許請求の範囲】
【請求項１】
屋根上に固定された支持金具に取付可能なソーラーパネル設置用金具であって、前記支持金具上に載置状態で取付可能な取付用基板部の一端側に、第一段差を介してこの一端側が取付用基板部より低くなる下段板部を設け、この下段板部をソーラーパネルの一側端部を載置固定するパネル固定用下段部とし、前記取付用基板部の他端側に、第二段差を介してこの他端側が取付用基板部より高くなる上段板部を設け、この上段板部をソーラーパネルの他側端部を載置固定するパネル固定用上段部として、このパネル固定用上段部にソーラーパネルの他側端部を載置固定すると共に、このソーラーパネルの一側端部を前記パネル固定用下段部に載置固定することによりソーラーパネルを一側端部が低く他側端部が高くなる傾斜状態で設置可能に構成し、前記取付用基板部と前記パネル固定用下段部と前記パネル固定用上段部とは、一枚の金属板を折曲形成して構成したことを特徴とするソーラーパネル設置用金具。
【請求項２】
帯状の前記金属板を、その中央部に対し一端側が低く他端側が高くなる三段の段差形状に折曲形成して、この金属板の中央部を前記取付用基板部とし、金属板の一端側を前記パネル固定用下段部とすると共にこのパネル固定用下段部と前記取付用基板部の間の段差を前記第一段差とし、金属板の他端側を前記パネル固定用上段部とすると共にこのパネル固定用上段部と前記取付用基板部の間の段差を前記第二段差としたことを特徴とする請求項１記載のソーラーパネル設置用金具。
【請求項３】
前記パネル固定用下段部は、その先端側が高くなる傾斜面であって且つ前記取付用基板部に対し４〜１０°上昇傾斜する傾斜面に形成し、前記パネル固定用上段部は、その先端側が低くなる傾斜面であって且つ前記取付用基板部に対し４〜１０°下降傾斜する傾斜面に形成して、パネル固定用下段部に一側端部を載置固定しパネル固定用上段部に他側端部を載置固定したソーラーパネルが取付用基板部に対し４〜１０°傾斜した状態で設置される構成としたことを特徴とする請求項１，２のいずれか１項に記載のソーラーパネル設置用金具。
【請求項４】
上部に取付ボルトを立設状態に設けた前記支持金具のこの取付ボルトを挿通可能なボルト挿通孔を前記取付用基板部に設けて、このボルト挿通孔に前記取付ボルトを挿通することで前記支持金具上に載置した取付用基板部を、取付ボルトで締付固定若しくは取付ボルトに螺着した取付用ナットで締付固定することにより支持金具上に載置状態で取付可能な構成とし、前記パネル固定用下段部と前記パネル固定用上段部とに、このパネル固定用下段部とパネル固定用上段部に載置したソーラーパネルの一側端部と他側端部を上方から押え込み固定可能なパネル押え具を設けたことを特徴とする請求項１〜３のいずれか１項に記載のソーラーパネル設置用金具。
【請求項５】
前記パネル押え具は、前記パネル固定用下段部と前記パネル固定用上段部に載置したソーラーパネルの一側端部と他側端部を上方から押え込む押え部材を、調整ボルトを介してパネル固定用下段部と前記パネル固定用上段部に取付すると共に、この調整ボルトの締付操作若しくはこの調整ボルトに螺着した調整用ナットの締付操作により前記押え部材をパネル固定用下段部と前記パネル固定用上段部に対し降下させてソーラーパネルの一側端部と他側端部を上方から押え込み固定可能な構成としたことを特徴とする請求項４記載のソーラーパネル設置用金具。
【発明の詳細な説明】
【技術分野】
【０００１】
本発明は、屋根上にソーラーパネルを勾配をつけて設置可能なソーラーパネル設置用金具に関するものである。
【背景技術】
【０００２】
ソーラーパネルの設置構造としては、例えば特許文献１の図１に示されているような、屋根上に固定した取付金具にパネル押え具を用いてソーラーパネルを平らに並べた状態で直接押え付け固定する設置構造（平置き工法などと称される。）や、例えば特許文献２に示されているような、屋根上に固定した取付金具に所定の傾斜角度を有する架台を取り付けて、この架台を介してソーラーパネルを傾斜状態に取り付け固定する設置構造（架台工法などと称される。）が知られている。
【先行技術文献】
【特許文献】
【０００３】
【特許文献１】特開２０１３−１１７１２１号公報
【特許文献２】登録実用新案第３１８２２５６号公報
【発明の概要】
【発明が解決しようとする課題】
【０００４】
前記平置き工法は、架台を用いないため低コストで施工作業性に優れ、またソーラーパネル同士を近接させて設置できるためにソーラーパネル設置面積を広く確保できるというメリットがあるが、反面、設置されたソーラーパネルの傾斜角度が屋根の勾配に準じたものとなるため、傾斜のない陸屋根や緩勾配折板屋根への設置に用いた際には、ソーラーパネルの勾配がないことで太陽光を効果的に受光できない時間帯があったり、雨水などが流れ落ちにくいためにパネル表面が汚れて発電力の低下を招き易いというデメリットがあった。
【０００５】
一方、前記架台工法は、太陽光を受光し易い傾斜角度でソーラーパネルを設置できると共に、ソーラーパネルが汚れにくい（発電力の低下を招きにくい）というメリットがあるが、反面、架台が大型で取付用部品も多いために高コストで施工作業性が悪かったり、大型の架台は強力な（複合的な）防錆処理を施すことが困難で簡易的な防錆処理しか行われないために比較的短期間で腐食し易かったり、傾斜設置されるソーラーパネルの影が他のソーラーパネルの受光面に落ちないよう隣接するソーラーパネル同士を離して設置しなければならずソーラーパネルの設置面積が制約されてしまうなどのデメリットがあった。
【０００６】
本発明は、このような従来のソーラーパネルの設置構造の現状に鑑み、平置き工法と架台工法の双方のメリットを可及的に合わせ持ち、且つ両工法のデメリットを可及的に解消できた実用性に優れたソーラーパネル設置用金具を提供するものである。
【課題を解決するための手段】
【０００７】
添付図面を参照して本発明の要旨を説明する。
【０００８】
屋根１上に固定された支持金具２に取付可能なソーラーパネル設置用金具Ａであって、前記支持金具２上に載置状態で取付可能な取付用基板部３の一端側に、第一段差４を介してこの一端側が取付用基板部３より低くなる下段板部５を設け、この下段板部５をソーラーパネル６の一側端部を載置固定するパネル固定用下段部５とし、前記取付用基板部３の他端側に、第二段差７を介してこの他端側が取付用基板部３より高くなる上段板部８を設け、この上段板部８をソーラーパネル６の他側端部を載置固定するパネル固定用上段部８として、このパネル固定用上段部８にソーラーパネル６の他側端部を載置固定すると共に、このソーラーパネル６の一側端部を前記パネル固定用下段部５に載置固定することによりソーラーパネル６を一側端部が低く他側端部が高くなる傾斜状態で設置可能に構成し、前記取付用基板部３と前記パネル固定用下段部５と前記パネル固定用上段部８とは、一枚の金属板９を折曲形成して構成したことを特徴とするソーラーパネル設置用金具に係るものである。
【０００９】
また、帯状の前記金属板９を、その中央部に対し一端側が低く他端側が高くなる三段の段差形状に折曲形成して、この金属板９の中央部を前記取付用基板部３とし、金属板９の一端側を前記パネル固定用下段部５とすると共にこのパネル固定用下段部５と前記取付用基板部３の間の段差を前記第一段差４とし、金属板９の他端側を前記パネル固定用上段部８とすると共にこのパネル固定用上段部８と前記取付用基板部３の間の段差を前記第二段差７としたことを特徴とする請求項１記載のソーラーパネル設置用金具に係るものである。
【００１０】
また、前記パネル固定用下段部５は、その先端側が高くなる傾斜面であって且つ前記取付用基板部３に対し４〜１０°上昇傾斜する傾斜面に形成し、前記パネル固定用上段部８は、その先端側が低くなる傾斜面であって且つ前記取付用基板部３に対し４〜１０°下降傾斜する傾斜面に形成して、パネル固定用下段部５に一側端部を載置固定しパネル固定用上段部８に他側端部を載置固定したソーラーパネル６が取付用基板部３に対し４〜１０°傾斜した状態で設置される構成としたことを特徴とする請求項１，２のいずれか１項に記載のソーラーパネル設置用金具に係るものである。
【００１１】
また、上部に取付ボルト10を立設状態に設けた前記支持金具２のこの取付ボルト10を挿通可能なボルト挿通孔11を前記取付用基板部３に設けて、このボルト挿通孔11に前記取付ボルト10を挿通することで前記支持金具２上に載置した取付用基板部３を、取付ボルト10で締付固定若しくは取付ボルト10に螺着した取付用ナット12で締付固定することにより支持金具２上に載置状態で取付可能な構成とし、前記パネル固定用下段部５と前記パネル固定用上段部８とに、このパネル固定用下段部５とパネル固定用上段部８に載置したソーラーパネル６の一側端部と他側端部を上方から押え込み固定可能なパネル押え具15を設けたことを特徴とする請求項１〜３のいずれか１項に記載のソーラーパネル設置用金具に係るものである。
【００１２】
また、前記パネル押え具15は、前記パネル固定用下段部５と前記パネル固定用上段部８に載置したソーラーパネル６の一側端部と他側端部を上方から押え込む押え部材16を、調整ボルト13を介してパネル固定用下段部５と前記パネル固定用上段部８に取付すると共に、この調整ボルト13の締付操作若しくはこの調整ボルト13に螺着した調整用ナット14の締付操作により前記押え部材16をパネル固定用下段部５と前記パネル固定用上段部８に対し降下させてソーラーパネル６の一側端部と他側端部を上方から押え込み固定可能な構成としたことを特徴とする請求項４記載のソーラーパネル設置用金具に係るものである。
【発明の効果】
【００１３】
本発明は上述のように構成したから、大型の架台を用いることなくソーラーパネルを受光に有利且つ受光面に汚れを生じにくい傾斜状態に設置でき、従って、架台工法に比べて低コスト化と、架台工法並の発電力の確保を実現できると共に、平置き工法に対し実質的に本ソーラーパネル設置用金具を取り付けることを追加するだけで容易に施工でき、しかも本発明では、ソーラーパネルの一側端部を支持金具の上部より低い屋根に近い位置でパネル固定用下段部に載置固定するから、ソーラーパネルを重心を低くして設置でき、これによりソーラーパネルの設置安定性が著しく向上して強風の吹き上げなどにも高い耐久性能を発揮でき、その上本発明は、取付用基板部とパネル固定用下段部とパネル固定用上段部とを、一枚の金属板を折曲形成して構成したから、この構成は簡易に設計実現可能な構成であると共に小型化も容易に可能な構成であり、小型化により取扱い容易で施工性に優れるだけでなく、メッキや塗装などを複合した強力な表面処理（防錆処理）を容易に行うことができるので、防錆力・耐食性に優れたソーラーパネル設置用金具を製作することも容易に可能となるなど、極めて実用性に優れたソーラーパネル設置用金具となる。
【００１４】
また、請求項２記載の発明においては、前記作用効果を確実に発揮する本発明のソーラーパネル設置用金具を簡易構成にして容易に設計実現可能となる一層実用性に優れた構成のソーラーパネル設置用金具となる。
【００１５】
また、請求項３記載の発明においては、パネル固定用下段部とパネル固定用上段部とにソーラーパネルの一側端部と他側端部を載置するだけでソーラーパネルを傾斜状態で安定的に設置でき、しかも、ソーラーパネルの設置傾斜角度を比較的小さく設定したから、隣接設置するソーラーパネル同士を近づけて設置しても、受光面に影ができにくく、従って平置き工法に近い条件でのソーラーパネル設置が可能となる（ソーラーパネルの設置面積を広く確保できる）など、一層実用性に優れた構成のソーラーパネル設置用金具となる。
【００１６】
また、請求項４記載の発明においては、上部に取付ボルトを立設状態に設けた既存の支持金具を使用できると共に、この支持金具に対して取付用基板部（本ソーラーパネル設置用金具）を容易に載置状態に取り付けでき、しかも、ソーラーパネルをパネル押え具によってパネル固定用下段部とパネル固定用上段部に簡易に押え込み固定できる一層実用性に優れた構成のソーラーパネル設置用金具となる。
【００１７】
また、請求項５記載の発明においては、パネル固定用下段部とパネル固定用上段部に載置したソーラーパネルを確実に押え込み固定できると共に、操作性にも優れた前記パネル押え具を簡易構成にして容易に設計実現可能となる一層実用性に優れた構成のソーラーパネル設置用金具となる。
【図面の簡単な説明】
【００１８】
【図１】実施例１並びに支持金具を示す分解斜視図である。
【図２】実施例１の使用状態を示す概略説明斜視図である。
【図３】実施例１の使用状態を示す斜視図である。
【図４】実施例１の使用状態を示す別角度からの斜視図である。
【図５】実施例１の使用状態を示す側面図である。
【図６】パネル固定用下段部とパネル固定用上段部の傾斜角度を異ならせた実施例１の別例を示した使用状態における説明側面図である。
【図７】実施例２を示すパネル押え具を省略した斜視図である。
【発明を実施するための形態】
【００１９】
好適と考える本発明の実施形態を、図面に基づいて本発明の作用を示して簡単に説明する。
【００２０】
屋根１上に固定された支持金具２上に、取付用基板部３を載置状態で取り付けることにより、本ソーラーパネル設置用金具Ａを支持金具２を介して屋根１上に設置する。同様にして屋根１上に点在状態に固定された各支持金具２上に、本ソーラーパネル設置用金具Ａを取り付けるが、間隔を置いて隣り合う各ソーラーパネル設置用金具Ａ同士を、一方のソーラーパネル設置用金具Ａのパネル固定用下段部５と、他方のソーラーパネル設置用金具Ａのパネル固定用上段部８とが隣り合うようにして取り付ける。
【００２１】
このようにして屋根１上に取り付けたソーラーパネル設置用金具Ａのパネル固定用下段部５にソーラーパネル６の一側端部を載置固定すると共に、このソーラーパネル６の一側端部をパネル固定用下段部５に載置したソーラーパネル設置用金具Ａと間隔を置いて隣り合うように取り付けられている他のソーラーパネル設置用金具Ａのパネル固定用上段部８にソーラーパネル６の他側端部を載置固定すると、ソーラーパネル６は、その一側端部が低く他側端部が高くなる傾斜状態で設置されることになる。
【００２２】
従って、大型の架台を用いることなく、実質的に平置き工法に対し支持金具２上に本ソーラーパネル設置用金具Ａを載置状態に取り付ける作業を追加するだけで施工可能であるので、架台工法に比べてコストがかからないだけでなく比較的施工性にも優れ、しかも、架台を用いずに本ソーラーパネル設置用金具Ａを介してソーラーパネル６を受光に有利な傾斜状態で設置できるので、平置き工法に比べて時間帯による受光不足の問題を生じにくいと共に、雨水などが流れ落ち易いので汚れが付着しにくく発電力の低下を招きにくい。
【００２３】
また、これまでのソーラーパネル６の取付構造は、支持金具２より上方位置でソーラーパネル６を固定していた（屋根１とソーラーパネル６の間に支持金具２の高さ分程度の隙間を生じていた）が、本発明では、支持金具２上に載置状態に取り付けられた本ソーラーパネル設置用金具Ａの取付用基板部３位置より第一段差４を介して低くなるパネル固定用下段部５にソーラーパネル６の一側端部を載置固定、即ち支持金具２の上部より低い位置に存するパネル固定用下段部５にソーラーパネル６の一側端部を載置固定するので、従来までは空きスペースとなっていた屋根１上の低い位置（屋根１に近い位置）にソーラーパネル６を重心を低くして設置でき、これによりソーラーパネル６の設置安定性が著しく向上するので、強風の吹き上げなどにも高い耐久性能を発揮することになる。
【００２４】
また、前記取付用基板部３と前記パネル固定用下段部５と前記パネル固定用上段部８とを、一枚の金属板９を折曲形成して構成した本発明のソーラーパネル設置用金具Ａは、簡易に設計実現可能な構成であり、しかも、支持金具２に対して載置状態に取り付けできる大きさの取付用基板部３と、ソーラーパネル６の一側端部の例えば一部を載置固定できる大きさのパネル固定用下段部５と、ソーラーパネル６の他側端部の例えば一部を載置固定できる大きさのパネル固定用上段部８とを有することで足りる構成であるから、小型化が容易に可能な構成でもある。従って、小型化により取扱い容易で施工性に優れるだけにとどまらず、メッキや塗装などを複合した強力な表面処理（防錆処理）を容易に行うことができるので、防錆力・耐食性に優れた本ソーラーパネル設置用金具Ａを製作することも容易に可能となる。
【実施例１】
【００２５】
本発明の具体的な実施例１について図１〜６に基づいて説明する。
【００２６】
本実施例は、屋根１上に固定された支持金具２に取り付けることで屋根１上に設置するソーラーパネル設置用金具Ａであって、前記支持金具２上に載置状態で取付可能な取付用基板部３の一端側に、第一段差４を介してこの一端側が取付用基板部３より低くなる下段板部５を設け、前記取付用基板部３の他端側に、第二段差７を介してこの他端側が取付用基板部３より高くなる上段板部８を設けた構成としている。
【００２７】
具体的には、図１に示すように、帯状の前記金属板９を、その中央部に対し一端側が低く他端側が高くなる三段の段差板形状に折曲形成して、この段差状金属板９の中央部を前記取付用基板部３とし、金属板９の一端側板部を金属板９の長さ方向を前後方向とした際の後側板部（図１中の右奥側板部）を前記下段板部５とすると共にこの下段板部５と前記取付用基板部３の間の段差を前記第一段差４とし、金属板９の他端側板部を金属板９の前側板部（図１中の左手前側板部）を前記上段板部８とすると共にこの上段板部８と前記取付用基板部３の間の段差を前記第二段差７としている。
【００２８】
そして、前記下段板部５をソーラーパネル６の一側端部を載置固定するパネル固定用下段部５とし、前記上段板部８をソーラーパネル６の他側端部を載置固定するパネル固定用上段部８として、間隔を置いて隣り合うように屋根１上に取り付けたソーラーパネル設置用金具Ａのいずれかの前記パネル固定用下段部５にソーラーパネル６の一側端部を載置固定すると共に、他のソーラーパネル設置用金具Ａの前記パネル固定用上段部８にソーラーパネル６の他側端部を載置固定すると、ソーラーパネル６を一側端部が低く他側端部が高くなる傾斜状態で設置可能に構成している（図２参照）。
【００２９】
また、このソーラーパネル設置用金具Ａを構成する金属板９の長手方向の両側縁全縁部を下方へ略直角に垂下する曲げ加工を施すことで、ソーラーパネル設置用金具Ａ全体の強度を向上させ、優れた耐荷重性能を発揮するように構成している。
【００３０】
また、本実施例の取付用基板部３は、図１に示すように、前記支持金具２の上部に立設状態に設けられた取付ボルト10を挿通可能なボルト挿通孔11を貫通形成している。
【００３１】
このボルト挿通孔11を使用した取付用基板部３の支持金具２への取付構造は、図１，図３，図４，図５に示すように、前記ボルト挿通孔11に前記取付ボルト10を挿通することで取付用基板部３を支持金具２上に載置し、ボルト挿通孔11を介して取付用基板部３の上方へ突出している取付ボルト10のボルト先端部に取付用ナット12を螺着して、この取付用ナット12で取付用基板部３を締付固定することにより支持金具２上に載置状態で取り付けする構造としている。図中符号28は座金、29はバネ座金である。
【００３２】
また、本実施例の前記パネル固定用下段部５は、図５に示すように、その先端側（金属板９の一端側（後端側））が基端側の第一段差４との連設角部より高くなる傾斜板（面）であって、前記取付用基板部３に対し４°上昇傾斜する傾斜面となるように、前記金属板９を折曲形成している。
【００３３】
また、本実施例の前記パネル固定用上段部８は、その先端側（金属板９の他端側（前端側））が基端側の第二段差７との連設角部より低くなる傾斜板（面）であって、前記取付用基板部３に対し４°下降傾斜する傾斜面となるように、前記金属板９を折曲形成している。
【００３４】
従って、パネル固定用下段部５とパネル固定用上段部８とが隣り合うようにして複数のソーラーパネル設置用金具Ａを屋根１上に支持金具２を介して設置し、いずれかのソーラーパネル設置用金具Ａのパネル固定用下段部５の上面と他のソーラーパネル設置用金具Ａのパネル固定用上段部８の上面に、ソーラーパネル６の一側端部の下面と他側端部の下面を面接載置すると、ソーラーパネル６がその一側端部が低く他側端部が高くなるようにして前記取付用基板部３に対し４°勾配を持つ傾斜状態で設置される構成としている。
【００３５】
尚、図示していないが、パネル固定用下段部５とパネル固定用上段部８を取付用基板部３に対して傾斜する傾斜面でなく、取付用基板部３と平行な平面形状（水平面）に形成して、パネル固定用下段部５若しくはパネル固定用上段部８とソーラーパネル６との間にスペーサーを挟み込むことでソーラーパネル６の下面を安定的な面接設置状態で傾斜設置できるように構成しても良い。
【００３６】
また、取付用基板部３は、支持金具２の上部に載置できる大きさのものであれば良く、本実施例では、前後長さ幅が５〜７ｃｍ程度、左右横幅が８〜９ｃｍ程度の略方形板状に構成している。
【００３７】
また、パネル固定用下段部５とパネル固定用上段部８とは、複数のこのパネル固定用下段部５と複数のこのパネル固定用上段部８とで一枚のソーラーパネル６を載置固定できれば良いので（図２参照）さほど大きな載置面を有するものとする必要はなく、本実施例では、前後長さ幅が８〜９ｃｍ程度、左右横幅が８〜９ｃｍ程度の略方形板状に構成している。
【００３８】
従って、このように構成した本実施例のソーラーパネル設置用金具Ａは、前後方向の全長が２１〜２５ｃｍ程度、左右幅が８〜９ｃｍ程度の比較的小型で取扱い容易な金具に構成できている。
【００３９】
また、本実施例では、パネル固定用下段部５とパネル固定用上段部８とに、このパネル固定用下段部５とパネル固定用上段部８に載置したソーラーパネル６の一側端部と他側端部を上方から押え込み固定可能なパネル押え具15を設けている。
【００４０】
具体的には、本実施例のパネル押え具15は、前記パネル固定用下段部５と前記パネル固定用上段部８の夫々の中心部にボルト通し孔21を設け、このボルト通し孔21に、調整ボルト13を下方から挿通してボルト先端部をパネル固定用下段部５及びパネル固定用上段部８上に立設状態に突設し、この立設する調整ボルト13にソーラーパネル６を押え込む押え部材16を設けた構成としている。
【００４１】
また、ボルト通し孔21を角孔形状に形成する一方、調整ボルト13のボルト杆の根本部を角形に形成して、この調整ボルト13の角形部31を前記角孔状のボルト通し孔21に挿通すると、ボルト通し孔21に対し調整ボルト13が回り止め状態で装着される構成としている。
【００４２】
また、押え部材16は、短い帯状金属板を略Ｌ字状に折曲形成して垂直板部26と水平板部27とを具備する形状としたもので、その垂下板部26は、パネル固定用下段部５及びパネル固定用上段部８の上方に立設突出する前記調整ボルト13のボルト高より低い高さ（上下長さ）を有し、その水平板部27には、前記調整ボルト13を挿通する挿通孔22を貫通形成した構成としている。そして、この挿通孔22に前記調整ボルト13を挿通し、この挿通孔22より上方に突出するボルト先端に調整用ナット14を螺着することで押え部材16を調整ボルト13に対し抜止状態に設けると共に、この調整用ナット14の締付操作により前記垂下板部26の下端がパネル固定用下段部５及びパネル固定用上段部８の上面に接するまで押え部材16が降下移動する構成としている。
【００４３】
また、垂下板部26の反対側に存する水平板部27の外縁部を短く直角下方に垂下折曲してこの垂下折曲部を、ソーラーパネル６の金属フレーム部23に設けられている係止用溝部25に差込み係止する係止片部24とし、この係止片部24をソーラーパネル６の前記係止用溝部25に差込み係止することで、ソーラーパネル６が浮上防止状態に押え込み固定される構成としている。
【００４４】
また、本実施例のソーラーパネル設置用金具Ａは、全体（パネル押え具15も含め）に表面処理として溶融亜鉛メッキと塗装を施している。従って、このような複合的な表面処理を施すことにより、防錆性、耐食性に著しく優れたものとなる。
【００４５】
次に、このように構成した本実施例のソーラーパネル設置用金具Ａの屋根１への設置方法並びにこのソーラーパネル設置用金具Ａを用いたソーラーパネル６の設置方法を説明する。
【００４６】
図面は、緩勾配のハゼ式折板屋根１を設置対象の屋根１とした場合を示している。
【００４７】
また、ここで本実施例で使用する支持金具２について説明すると、ソーラーパネル６のような屋根上設置物の設置に用いられる既存品（市販品）であって、金具本体17の上部に取付ボルト10を上向きにして立設突設し、この金具本体17下部の左右両側に折板屋根１のハゼ部18を挟持する挟持部19を左右対向状態に設けると共に、この左右の挟持部19間に挟持ボルト20を架設してこの挟持ボルト20に螺着したナット（図示省略）を締付回動して左右の挟持部19間を幅狭くすることで、左右の挟持部19の対向間隔を狭めて前記ハゼ部18を締付挟持して折板屋根１の山部上に固定し得るように構成したものを採用している。
【００４８】
また、この支持金具２は、金具本体17の上面が平坦な載置面30となる形状のものを採用し、この平坦載置面30に前記取付用基板部３の下面を面接状態で安定的に載置できるようにしている。
【００４９】
屋根１上に点在状態に固定された各支持金具２上に、取付用基板部３を載置状態で取り付ける（締付固定する）ことにより、本ソーラーパネル設置用金具Ａを支持金具２を介して屋根１上に設置できる。
【００５０】
また、各ソーラーパネル設置用金具Ａは、間隔を置いて隣り合う一方のソーラーパネル設置用金具Ａのパネル固定用下段部５と、他方のソーラーパネル設置用金具Ａのパネル固定用上段部８とが隣り合うように向い合せて（各ソーラーパネル設置用金具Ａの前後方向を一律に揃えるようにして）各支持金具２に取り付ける。
【００５１】
このようにして屋根１上に取り付けたいずれかのソーラーパネル設置用金具Ａのパネル固定用下段部５にソーラーパネル６の一側端部を載置してパネル押え具15により押え込み固定すると共に、このソーラーパネル設置用金具Ａと間隔を置いて隣接状態に取り付けられている他のソーラーパネル設置用金具Ａのパネル固定用上段部８にソーラーパネル６の他側端部を載置してパネル押え具15により押え込み固定すると、ソーラーパネル６は、その一側端部が低く他側端部が高くなる傾斜状態で設置固定されることになる。また、この際、複数のパネル固定用下段部５上に一枚のソーラーパネル６の一側端部を載置固定すると共に、複数のパネル固定用上段部８上に一枚のソーラーパネル６の他側端部を載置固定して、ソーラーパネル６を安定的に設置する。
【００５２】
尚、図２では、最も端側（図面は軒先側）に配置するソーラーパネル６には、パネル固定用上段部８がない端専用金具Ｂを用いた場合を示している。図示していないが、反対側の最も端側に配置するソーラーパネル６には、パネル固定用下段部５がない端専用金具を用いても良い。
【００５３】
また、図示していないが、勾配が５／１００程度の緩勾配の切妻型折板屋根１であれば、本ソーラーパネル設置用金具Ａを使用することで、北向きに下降傾斜する北側の屋根１上にも南向きに勾配が付いた状態でソーラーパネル６を設置することが可能である。即ち、従来、日当たりが悪い屋根１の北側は、ソーラーパネル６の設置が避けられる傾向にあったが、北側の屋根１に、その屋根勾配と逆方向に傾斜した状態でソーラーパネル６を設置できる向きに本ソーラーパネル設置用金具Ａを設置（北側の屋根１に設置する各ソーラーパネル設置用金具Ａの向きを、南側の屋根１に設置する各ソーラーパネル設置用金具Ａの向きと同じ向きに配して設置）することで、屋根１北側でも発電能力（受光量）を確保可能な南向き傾斜状態でソーラーパネル６を設置可能である（後述する図６（ｂ）〜（ｄ）に示したソーラーパネル設置用金具Ａや、これら以上の勾配角度（最大１０°程度）付が可能なソーラーパネル設置用金具Ａを用いても、同様に屋根１の北側にソーラーパネル６を南向き傾斜状態で設置可能であるし、これらを用いることで５／１００以上の勾配屋根１の北側へのソーラーパネル６の南向き設置も期待できる。）。
【００５４】
また、図６は、取付用基板部３に対するパネル固定用下段部５とパネル固定用上段部８の傾斜角度を異ならせた場合を示している。
【００５５】
具体的には、図６（ａ）は、取付用基板部３に対するパネル固定用下段部５の上昇傾斜角度とパネル固定用上段部８の下降傾斜角度とをいずれも５°に設定（ソーラーパネル６を５°の勾配角度で設置可能に構成）した場合を示し、図６（ｂ）は、取付用基板部３に対するパネル固定用下段部５の上昇傾斜角度とパネル固定用上段部８の下降傾斜角度とをいずれも６°に設定（ソーラーパネル６を６°の勾配角度で設置可能に構成）した場合を示し、図６（ｃ）は、取付用基板部３に対するパネル固定用下段部５の上昇傾斜角度とパネル固定用上段部８の下降傾斜角度とをいずれも７°に設定（ソーラーパネル６を７°の勾配角度で設置可能に構成）した場合を示し、図６（ｄ）は、取付用基板部３に対するパネル固定用下段部５の上昇傾斜角度とパネル固定用上段部８の下降傾斜角度とをいずれも８°に設定（ソーラーパネル６を８°の勾配角度で設置可能に構成）した場合を示している。また、ソーラーパネル６の設置勾配が大きいもの程、第二段差７の高さが増すように金具形状を設定構成している。
【００５６】
尚、出願人の試作試験によれば、取付用基板部３に対するパネル固定用下段部５とパネル固定用上段部８の傾斜角度を４°若しくは５°に設定、即ち、ソーラーパネル６の設置勾配が４°若しくは５°となるソーラーパネル設置用金具Ａを構成すると、ソーラーパネル６表面からの汚れの流れ落ち易さと、設置スペースの有効活用（ソーラーパネル６同士を近づけて設置しても影ができにくい）とが両立できることが確認されている。従って、パネル固定用下段部５とパネル固定用上段部８の傾斜角度を４°若しくは５°に設定することが好ましいと考えられる。
【００５７】
しかしながら、ソーラーパネル６に、６°以上の勾配をつけないと十分な受光量が確保できない設置環境があることも当然考えられることであり、このような設置環境では、図６（ｂ）〜（ｄ）に示したようなソーラーパネル設置用金具Ａや、これら以上の勾配角度（最大１０°程度）付が可能なソーラーパネル設置用金具Ａを使用すると良い。
【実施例２】
【００５８】
本発明の具体的な実施例２について図７に基づいて説明する。
【００５９】
本実施例は、前記実施例１に対し更なる改良を加えた場合である。尚、本実施例では、取付用基板部３に対するパネル固定用下段部５の上昇傾斜角度とパネル固定用上段部８の下降傾斜角度とをいずれも５°に設定した場合を示している。
【００６０】
具体的には、本実施例では、前記第一段差４から前記パネル固定用下段部５に至る折曲箇所と、前記第二段差７から前記パネル固定用上段部８に至る折曲箇所とに補強リブ32をプレス成形し、この二箇所の補強リブ32によって本ソーラーパネル設置用金具Ａの耐変形強度（耐荷重性能）をより向上させた場合を示している。
【００６１】
また、本実施例は、前記取付用基板部３の左右位置から、回り止め片33を下方に向けて切り出し形成し、前記支持金具２の載置面30にこの取付用基板部３を載置すると、この左右の回り止め片33が載置面30の両側に当接して取付用基板部３が支持金具２に対し回り止め状態で仮止めされるように構成した場合を示している。
【００６２】
従って、支持金具２に本ソーラーパネル設置用金具Ａ（の取付用基板部３）を取り付けする際に、勝手に本ソーラーパネル設置用金具Ａが取付ボルト10を軸に回転してしまうような不都合がなく、本ソーラーパネル設置用金具Ａの支持金具２への取付作業が容易に行われることになる構成としている。
【００６３】
また、本実施例では、パネル固定用下段部５のやや中央寄りの左右位置から、パネル受け片34を上方に向けて切り出し形成し、パネル固定用下段部５にソーラーパネル６の一側端部を載置すると、このパネル受け片34がソーラーパネル６の一側端部を支承して位置決め（仮止め）できるように構成した場合を示している。
【００６４】
従って、パネル固定用下段部５にソーラーパネル６の勾配下方側となる一側端部を載置した際に、パネル受け片34が必要以上にソーラーパネル６が第一段差４側に移動することを阻止でき、この仮止め状態で、前記パネル押え具15によるソーラーパネル６の固定が容易に行われることになる構成としている。
【００６５】
また、本実施例では、パネル固定用上段部８の後端部（金属板９の他側端部）に、ソーラーパネル６の接続ケーブルを載置収容するための、ケーブル配線部35を一体成形した場合を示している。
【００６６】
このケーブル配線部35について具体的に説明すると、金属板９の他側（前側）端部を延設すると共に、この延設部を側面視で断面コ字状（樋形）に折曲形成して構成している。
【００６７】
また、このケーブル配線部35には、結束バンドを挿通するためのバンド孔36を貫通形成して、このバンド孔36に通した結束バンドでケーブル配線部35に収容した接続ケーブルを結束できるようにしている。
【００６８】
他の構成は、前記実施例１と同様である。
【００６９】
尚、本発明は、実施例１，２に限られるものではなく、各構成要件の具体的構成は適宜設計し得るものである。
【符号の説明】
【００７０】
１  屋根
２  支持金具
３  取付用基板部
４  第一段差
５  パネル固定用下段部・下段板部
６  ソーラーパネル
７  第二段差
８  パネル固定用上段部・上段板部
９  金属板
10  取付ボルト
11  ボルト挿通孔
12  取付用ナット
13  調整ボルト
14  調整用ナット
15  パネル押え具
16  押え部材
Ａ  ソーラーパネル設置用金具
【図１】
2015028264.tif 000003
【図２】
2015028264.tif 000004
【図３】
2015028264.tif 000005
【図４】
2015028264.tif 000006
【図５】
2015028264.tif 000007
【図６】
2015028264.tif 000008
【図７】
2015028264.tif 000009